(57)【要約】【課題】使用勝手が良く且つネックレスのような装飾品としても活用し得る首かけライトを提供すること。【解決手段】首かけライトは、柔らかい材質の首かけ紐２と、該首かけ紐の両端を互いに反対方向へ挿通して首輪を形成するための貫通孔１ａ又は該貫通孔の両端に嵌着された所定の長さの一対のパイプ３，４を有する作輪部材と、該作輪部材に照射方向調整可能に取り付けられた点灯装置５とを有する。【選択図】図１
0003196104.tif 000002
【実用新案登録請求の範囲】
【請求項１】
柔らかい材質の首かけ紐と、該首かけ紐の両端を互いに反対方向へ挿通して首輪を形成
するための貫通孔又は該貫通孔の両端に嵌着された所定の長さの一対のパイプを有する作
輪部材と、該作輪部材に照射方向調整可能に取り付けられた点灯装置とを有する首かけラ
イト。
【請求項２】
孔を有する前記作輪部材は、球体、円筒体、多面体、角錐体の何れかであることを特徴とする請求項１に記載の首かけライト。
【請求項３】
柔らかい材質の首かけ紐と、該首かけ紐の両端を互いに反対方向へ挿通して首輪を形成するための所定の長さのパイプと、該パイプに照射方向調整可能に取り付けられた点灯装置とを有する首かけライト。
【請求項４】
前記首かけ紐の両端に、前記首かけ紐が前記作輪部材の孔又は前記パイプから脱出するのを阻止するためのストッパーを設けたことを特徴とする請求項１乃至３の何れかに記載の首かけライト。
【請求項５】
前記首かけ紐の首輪を形成する部分に、前記首かけ紐により形成される環の最小直径を規制するための一対のストッパーを設けたことを特徴とする請求項１乃至４の何れかに記載の首かけライト。
【考案の詳細な説明】
【技術分野】
【０００１】
本考案は、夜間等において首にかけて点灯することにより第三者に自分の存在を知らせ
る目的等に好適に使用し得る首かけライトの構造に関する。
【背景技術】
【０００２】
最近、ＬＥＤを使用して、暗がりでの作業や、夜間におけるペットの散歩等に好適に利
用し得る首かけライトが提案され、市販されている。
【０００３】
ところで、これら市販の首かけライトは、下端にＬＥＤ等からなる光源装置を保持した首かけ部分が所定の太さと長さのゴム輪で作られていているため、使用者が動いたとき、光源装置が胸元から離れてライトが過度に大きく揺れる結果になったり、使用者の身長や体形によっては使用勝手が良くない結果になることがあった。
【考案の概要】
【考案が解決しようとする課題】
【０００４】
本考案は、このような従来品の問題点を解決するためになされたものであり、その目的とするところは、使用勝手が良く且つネックレスのような装飾品としても活用し得る首かけライトを提供することにある。
【課題を解決するための手段】
【０００５】
上記目的を達成するために、本考案による首かけライトは、柔らかい材質の首かけ紐と、
該首かけ紐の両端を互いに反対方向へ挿通して首輪を形成するための貫通孔又は該貫通孔の両端に嵌着された所定の長さの一対のパイプを有する作輪部材と、該作輪部材に照射方向調整可能に取り付けられた点灯装置とを有することを特徴とする。
【０００６】
また、本考案による首かけライトは、柔らかい材質の首かけ紐と、該首かけ紐の両端を
互いに反対方向へ挿通して首輪を形成するための所定の長さのパイプと、該パイプに照射
方向調整可能に取り付けられた点灯装置とを有することを特徴とする。
【０００７】
また、本考案による首かけライトは、上記首かけ紐の両端に、上記首かけ紐が上記作輪
部材から脱出するのを阻止するためのストッパーを設けたことを特徴とする。
【０００８】
また、本考案による首かけライトは、上記首かけ紐の両端に、上記首かけ紐が上記パイプから脱出するのを阻止するためのストッパーを設けたことを特徴とする。
【０００９】
また、本考案による首かけライトは、上記首かけ紐の首輪を形成する部分に、上記首かけ紐により形成される環の最小直径を規制するための一対のストッパーを設けたことを特徴とする。
【００１０】
また、本考案によれば、貫通孔を有する上記作輪部材は、球体、円筒体、多面体、角錐体の何れかであることを特徴とする。
【考案の効果】
【００１１】
本考案による首かけライトは、首かけ紐を柔らかい材質のもので作れば、紐を首にかけたときの肌触りが良く、また、首輪を形成するための作輪部材として適当な長さと重さのパイプを横長の状態で使用することになるから、紐の輪を小さく調整しておけば、使用者が動いた時でもライトが大きく揺れることがなく、便利である。また、紐の輪の大きさを調整できるようになっているから、ライトの上下位置を容易に調整することができ、また、輪の大きさが使用者の首を絞めることにならないように紐にストッパーが設けられているから、安全に使用することができる。また、紐の太さや色彩、作輪部材やパイプの形状や色彩等を適宜選択することにより、ネックレスと同様のアクセサリーとして利用することもできるという利点がある。
【図面の簡単な説明】
【００１２】
【図１】本考案に係る首かけライトの第一実施例で、（ａ）はその正面図、（ｂ）はその側面図である。
【図２】本考案に係る首かけライトの第二実施例で、（ａ）はその正面図、（ｂ）はその側面図である。
【図３】本考案に係る首かけライトの第三実施例で、（ａ）はその正面図、（ｂ）はその側面図である。
【図４】本考案に係る首かけライトの第四実施例で、（ａ）はその正面図、（ｂ）はその側面図、（ｃ）は図４（ｂ）のｃ−ｃ 線断面図である。
【考案を実施するための形態】
【００１３】
以下、本考案の実施の態様を図示した実施例を参照して説明する。
図１は本考案に係る首かけライトの一実施例で、１は適宜材料よりなっていて直径と平行な方向に穿設された貫通孔１aを有する球体、２は柔らかい適宜材料からなる糸を編んで形成された適当な太さの首かけ紐、３，４は各一端が貫通孔１aの対向する各端部にそれぞれ臨み首かけ紐２が輪を形成するように該紐２の各端部を貫通孔１ａを経て反対方向に挿通させた一対の適宜長さの硬質パイプ、２a，２aは首かけ紐２の各端部がパイプ３，４及び球体１の貫通孔１aから抜け出るのを防止するためのストッパー、２ｂ, ２ｂは首かけ紐２により形成される輪の最小径（使用者の首を絞めることにならない輪の直径）となる位置以上に首かけ紐２がパイプ３，４及び球体１の貫通孔１aを通過するのを防止するためのストッパーである。この場合、ストッパーとしては、紐の結び目であっても良いし、紐２に取付けられた環体等適宜形状の装飾部材であってもよい。５は、適当な長さの可撓性の連結部材６を介して球体１に連結された、ＬＥＤ等の光源や必要に応じて電池やスイッチ等を内蔵した点灯装置である。
【００１４】
第一実施例に係る首かけライトは、上記のように構成されているから、使用に際し使用者は先ず紐２の輪を最大の大きさにして首に掛け、連結部材６を適当に曲げる等して点灯装置５の光の照射方向を決め、紐２の両端を持って矢印方向へ適当に引くことにより、使用者が動いたとき点灯装置５がブラブラ大きく揺れることがないように、所望の位置及び状態に首かけライトをセットすることができる。
この実施例において、球体１とパイプ３，４は作輪部材を構成するが、この作輪部材は貫通孔１aを有する球体１のみによって構成されてもよい。
【００１５】
図２は、本考案に係る首かけライトの第ニ実施例を示している。この実施例は、作輪部材としての硬質パイプ３及び４の代わりに、貫通孔１ａに嵌着挿通された長さＬの１本の硬質パイプ７を用い、そのパイプ７に紐２の両端部分を交互に挿通させた点で、第一実施例とは構成が若干異なるが、使用方法は第一実施例と同様である。
この実施例は、パイプ７の長さＬを適当な長さに選定することにより、首から下げたときのライトの左右の振れを少なくすることができるという利点がある。
【００１６】
図３は、本考案に係る首かけライトの第三実施例を示している。この実施例は、作輪部材が適当な長さのパイプ７のみで構成されていて、このパイプ７に二つの関節８，９を有する連結部材１０を介して点灯装置５が取り付けられている点で、上記何れの実施例とも異なる。この関節８，９は、所定以上の力を加えないと相対位置を変更することが出来ないように構成されている。従って、使用者が、紐２を首に掛けてライトの方向を一端調節すれば、使用中、ライトの方向が妄りに変わることはない。
【００１７】
図４は、本考案に係る首かけライトの第四実施例を示している。この実施例は、作輪部材に点灯装置５を取り付けるための連結部材１０の下端に点灯装置５がクリック式に回動可能に取り付けられている点で、上記何れの実施例とも異なる。即ち、この実施例においては、連結部材１０の底面に点灯装置５の回動軸５ａと平行な突条１０ａが形成されおり、また、回動軸５ａと同心の点灯装置の円弧表面には回動軸５ａと平行な複数の突条５ｂが形成されていて、突条１０ａに対する突条５ｂの噛合位置の変化によって連結部材１０に対する点灯装置５の角度位置がクリック式に変化するようになっている。
【００１８】
以上、本考案の実施態様を各実施例について説明したが、構成部品の形状や構造は実施例に限定されるものではなく、例えば、球体１に代えて、円筒体、多面体、角錐体を用いることもできるが、これらの変形はすべて本考案に属する。更に、球体１や、紐２や、パイプ３，４，７の材質や色等を種々選定して組み合わせることにより、ネックレスの一種として利用することもできる。
【符号の説明】
【００１９】
１                     球体
１ａ                   孔
２                     首かけ紐
２ａ、２ｂ             ストッパー
３，４，７             パイプ
５                     点灯装置
５ａ                    回転軸
５ｂ，１０ａ            突条
６，１０                連結部材
８，９                  関節
【図１】
0003196104.tif 000003
【図２】
0003196104.tif 000004
【図３】
0003196104.tif 000005
【図４】
0003196104.tif 000006